【手続補正書】
【提出日】平成25年12月25日(2013.12.25)
【手続補正１】
【補正対象書類名】明細書
【補正対象項目名】００１３
【補正方法】変更
【補正の内容】
【００１３】
上記目的を達成するため、本発明者らは、補給用カートリッジにおける容器の成型用樹脂組成と、予めトナーとキャリアを混合した補給剤を使用し、さらに本発明の特殊な微粒子を含有させたキャリアを用いることによりトナーの安定排出性及び現像部での均一帯電性を高度に達成することができることを見出した。すなわち本発明は以下の通りである。
（１）画像形成装置に着脱可能な補給用カートリッジであって、
該補給用カートリッジは、
少なくともトナー及び磁性キャリアを含む補給剤と、
収容された該補給剤を排出するための開口部を有する容器と、
を有し、
該容器は、芳香族ジカルボン酸とアルキレングリコールを重合して得られるポリエステルを主成分とし、少なくともカーボンブラックを含有した樹脂を成型した容器であり、
該磁性キャリアは、少なくとも磁性キャリアコア表面に樹脂被覆層を形成した磁性キャリアであって、該樹脂被覆層は少なくとも体積固有抵抗値が１．０×１０5Ω・ｃｍ以上１．０×１０19Ω・ｃｍ以下の微粒子を含有しており、
該補給剤は、ゆるみ見掛け密度が０．３６５ｇ／ｃｍ3以上１．０００ｇ／ｃｍ3以下であることを特徴とする補給用カートリッジに関する。
（２）該補給剤は、キャリア１質量部に対してトナーを２質量部以上５０質量部以下の配合割合で含有することを特徴とする補給用カートリッジ。
（３）該樹脂被覆層は、少なくともマクロモノマーと他のモノマーとを重合して得られる共重合体であることを特徴とする補給用カートリッジ。
（４）該容器は、少なくとも容器内壁から内部に突出するように設けられ該開口部に向って螺旋状をなす突条部を有し、回転に伴って該突条部により搬送された補給剤を該開口部から補給剤受け入れ装置へ補給する構成であることを特徴とする補給用カートリッジ。
（５）像担持体を帯電させる帯電工程；該帯電工程で帯電された像担持体上に静電潜像を形成する潜像形成工程；該像担持体上に形成された静電潜像をトナー及び磁性キャリアを含有する二成分系現像剤を用いて現像し、トナー画像を形成する現像工程；該像担持体上のトナー画像を中間転写体を介して又は介さずに転写材に転写する転写工程；及びトナー画像を転写材に定着する定着工程を有する画像形成方法において、
該現像工程は、少なくともトナー及び磁性キャリアを含む補給剤と、収容された該補給剤を排出するための開口部を有する容器により構成された画像形成装置に着脱可能な補給用カートリッジを使用し、該補給剤が現像器に補給され、且つ現像器内部で過剰になったトナーと磁性キャリアが必要に応じて現像器から排出される工程を有し、
該容器は、芳香族ジカルボン酸とアルキレングリコールを重合して得られるポリエステルを主成分とし、少なくともカーボンブラックを含有した樹脂を成型した容器であり、
該磁性キャリアは少なくとも磁性キャリアコア表面に樹脂被覆層を形成した磁性キャリアであって、
該樹脂被覆層は少なくとも体積固有抵抗値が１．０×１０5Ω・ｃｍ以上１．０×１０16Ω・ｃｍ以下の微粒子を含有しており、
該補給用カートリッジに収容された補給剤のゆるみ見掛け密度が０．３６５ｇ／ｃｍ3以上１．０００ｇ／ｃｍ3以下であることを特徴とする画像形成方法。
（６）該補給剤は、キャリア１質量部に対してトナーを３質量部以上５０質量部以下の配合割合で含有することを特徴とする画像形成方法。
（７）該樹脂被覆層は、少なくともマクロモノマーと他のモノマーとを重合して得られる共重合体であることを特徴とする画像形成方法。
（８）該容器は、少なくとも容器内壁から内部に突出するように設けられ該開口部に向って螺旋状をなす突条部を有し、回転に伴って該突条部により搬送された補給剤を該開口部から補給剤受け入れ装置へ補給する構成であることを特徴とする画像形成方法。
【手続補正２】
【補正対象書類名】特許請求の範囲
【補正対象項目名】全文
【補正方法】変更
【補正の内容】
【特許請求の範囲】
【請求項１】
画像形成装置に着脱可能な補給用カートリッジであって、
該補給用カートリッジは、
少なくともトナー及び磁性キャリアを含む補給剤と、
収容された該補給剤を排出するための開口部を有する容器と、
を有し、
該容器は、芳香族ジカルボン酸とアルキレングリコールを重合して得られるポリエステルを主成分とし、少なくともカーボンブラックを含有した樹脂を成型した容器であり、
該磁性キャリアは、少なくとも磁性キャリアコア表面に樹脂被覆層を形成した磁性キャリアであって、該樹脂被覆層は少なくとも体積固有抵抗値が１．０×１０5Ω・ｃｍ以上１．０×１０19Ω・ｃｍ以下の微粒子を含有しており、
該補給剤は、ゆるみ見掛け密度が０．３６５ｇ／ｃｍ3以上１．０００ｇ／ｃｍ3以下であることを特徴とする補給用カートリッジ。
【請求項２】
該補給剤は、キャリア１質量部に対してトナーを２質量部以上５０質量部以下の配合割合で含有することを特徴とする請求項１に記載の補給用カートリッジ。
【請求項３】
該樹脂被覆層は、少なくともマクロモノマーと他のモノマーとを重合して得られる共重合体であることを特徴とする請求項１または２に記載の補給用カートリッジ。
【請求項４】
該容器は、少なくとも容器内壁から内部に突出するように設けられ、該開口部に向って螺旋状をなす突条部を有し、回転に伴って該突条部により搬送された補給剤を該開口部から補給剤受け入れ装置へ補給する構成であることを特徴とする請求項１乃至３のいずれか一項に記載の補給用カートリッジ。
【請求項５】
像担持体を帯電させる帯電工程；該帯電工程で帯電された像担持体上に静電潜像を形成する潜像形成工程；該像担持体上に形成された静電潜像をトナー及び磁性キャリアを含有する二成分系現像剤を用いて現像し、トナー画像を形成する現像工程；該像担持体上のトナー画像を中間転写体を介して又は介さずに転写材に転写する転写工程；及びトナー画像を転写材に定着する定着工程を有する画像形成方法において、
該現像工程は、少なくともトナー及び磁性キャリアを含む補給剤と、収容された該補給剤を排出するための開口部を有する容器により構成された画像形成装置に着脱可能な補給用カートリッジを使用し、該補給剤が現像器に補給され、且つ現像器内部で過剰になったトナーと磁性キャリアが必要に応じて現像器から排出される工程を有し、
該容器は、芳香族ジカルボン酸とアルキレングリコールを重合して得られるポリエステルを主成分とし、少なくともカーボンブラックを含有した樹脂を成型した容器であり、
該磁性キャリアは少なくとも磁性キャリアコア表面に樹脂被覆層を形成した磁性キャリアであって、
該樹脂被覆層は少なくとも体積固有抵抗値が１．０×１０5Ω・ｃｍ以上１．０×１０19Ω・ｃｍ以下の微粒子を含有しており、
該補給用カートリッジに収容された補給剤のゆるみ見掛け密度が０．３６５ｇ／ｃｍ3以上１．０００ｇ／ｃｍ3以下であることを特徴とする画像形成方法。
【請求項６】
該補給剤は、キャリア１質量部に対してトナーを２質量部以上５０質量部以下の配合割合で含有することを特徴とする請求項５に記載の画像形成方法。
【請求項７】
該樹脂被覆層は、少なくともマクロモノマーと他のモノマーとを重合して得られる共重合体であることを特徴とする請求項５または６に記載の画像形成方法。
【請求項８】
該容器は、少なくとも容器内壁から内部に突出するように設けられ、該開口部に向って螺旋状をなす突条部を有し、回転に伴って該突条部により搬送された補給剤を該開口部から補給剤受け入れ装置へ補給する構成であることを特徴とする請求項５乃至７のいずれか一項に記載の画像形成方法。